(57)【特許請求の範囲】
【請求項１】
電気分解によって生成されたアルカリ性水と酸性水を用いる、手指の洗浄殺菌方法であって、
手や指の洗浄に当たって、先ずアルカリ性水を吐水口から吐水させることにより、手や指に付着している油脂やタンパク質といった汚れの洗浄を可能と成し、次いで、酸性水を、上記吐水口から吐水させて手指を殺菌可能と成し、その後、再び前記アルカリ性水を前記吐水口から吐水させることにより、
アルカリ性水での洗浄と、酸性水での殺菌、及び、アルカリ性水での酸性水の中和を、設定した時間、もしくは、設定量による一連した洗浄サイクルを行うことを特徴とする電解水を用いた手指の洗浄殺菌方法。
【請求項２】
電気分解によって電解水生成装置が生成したアルカリ性水と酸性水を用いる、手指の洗浄殺菌システムであって、
上記電解水生成装置によって生成されたアルカリ性水と酸性水を貯水するためのアルカリ性水用と酸性水用の各貯水タンクと、
これ等各貯水タンクに収容されているアルカリ性水及び酸性水を，各々手指の洗浄及び殺菌を行なう吐水口に給水するためのアルカリ性水用及び酸性水用の各ポンプ、もしくは、アルカリ性水又は酸性水を、いずれか一方に選択して他方の給水を止めることができる切替ユニットと併設されたアルカリ性水及び酸性水を給水するための共用のポンプと、
手指検知センサーからの検知信号を受けると、これ等各ポンプ、もしくは切替ユニット及び併設された共用のポンプの作動を制御して、最初にアルカリ性水タンクのアルカリ性水を設定した時間、又は設定量を吐水口に給水し、次に、酸性水タンクの酸性水を設定した時間、又は設定した水量を吐水口に給水する一連した洗浄サイクルを実行するための制御部と、によって構成すると共に、
前記制御部は、前記手指検知センサーからの検知信号を受けると、前記ポンプ及び切替ユニットを制御して、アルカリ性水タンクのアルカリ性水、次に、酸性水タンクの酸性水を吐水口に給水した後、再び、アルカリ性水タンクのアルカリ性水を設定した時間、もしくは設定した水量を吐水口に給水することを特徴とする手指の洗浄殺菌システム。
【請求項３】
前記アルカリ性水用と酸性水用の各貯水タンクに電解水生成装置を併設し、各貯水タンクにはアルカリ性水もしくは酸性水の貯水が満杯と残量少の場合の水量を検知する各水位センサーを設けると共に、前記電解水生成装置は、前記一方の水位センサーの残量少の検知信号に基づいてアルカリ性水及び酸性水を生成して各貯水タンクに供給し、前記双方の水位センサーが満杯を検知すると生成を停止する様に構成されていることを特徴とする請求項２に記載の手指の洗浄殺菌システム。
【請求項４】
前記制御部は、前記酸性水を吐水後に、再びアルカリ性水が吐水口から吐水されている最中に、前記手指センサーが再び手指を検知した時には、上記アルカリ性水の給水を直ちに中断して、前記一連した洗浄サイクルを新規に開始するように構成されていることを特徴とする請求項２に記載の手指の洗浄殺菌システム。
【発明の詳細な説明】
【技術分野】
【０００１】
本発明は、電気分解によって生成されたアルカリ性水と酸性水を用いて、人の手や指を洗浄及び殺菌する手指の洗浄殺菌方法と手指の洗浄殺菌システムに関するものである。
【背景技術】
【０００２】
電気分解によって陽極側に生成される酸性電解水（以下酸性水という）には殺菌効果があり、また陰極側に生成されるアルカリ電解水（以下アルカリ性水という）には洗浄効果があるため、これ等酸性水とアルカリ性水の特性を生かして、人の手や指を洗浄する手指洗浄装置が各種存在する。
【０００３】
例えば、特許文献１に記載のイオン水供給洗面化粧台は、電解槽の酸性水室、又は、アルカリ性水室に給水する給水管にそれぞれ開閉弁を設け、電解槽から送水する配管先にはカラン（蛇口）を取り付けて化粧台上に設置するものであって、所望する酸性水又はアルカリ性水を得るためには、給水管に設けられたそれぞれの開閉弁の操作によって目的とする電解水を得られる仕組みになっている。
【０００４】
また、特許文献２に記載の酸性水手洗器は、酸性水を貯水するタンクと人の手を検知するセンサーを設け、センサーが人の手を検知すると設定した時間酸性水の吐水を継続するように構成した手洗器であって、モードの切り替えでセンサーが手を検知しなくなった時点で酸性水の吐水を停止するように構成されている。
【特許文献１】特開平４−３１４４０８号公報
【特許文献２】特開平１０−２６６２８７号公報
【発明の開示】
【発明が解決しようとする課題】
【０００５】
しかし、上記特許文献１に記載のイオン水供給洗面化粧台は、所望する種類の電解水を得るためにその都度、給水管に設けられた開閉弁を操作しなければならない。また、排水管のトラップの部分が金属製の場合には、トラップの部分に酸性水が溜まるような使用法では管内が腐食する不具合があった。
【０００６】
更に、上記特許文献２に記載の酸性水手洗器は、酸性水のみの給水装置であるため、殺菌効果はあるものの、油脂やタンパク質を除去することができないため、手や指の洗浄には適しない問題があった。
【０００７】
本発明は上記の問題点を解決するために開発されたものであって、その技術的課題は、電気分解によって生成されたアルカリ性水と酸性水を用いて、手と指をきれいに洗浄及び殺菌することができると共に、設定時間もしくは設定した水量で洗浄殺菌を行なうので、洗う人によってバラツキがなく全員が決められた時間もしくは水量で手洗い及び殺菌が可能となるように工夫した手指の洗浄殺菌方法とその装置及び手指の洗浄殺菌システムを提供することである。
【課題を解決するための手段】
【０００８】
（１）  上記の技術的課題を解決するために、本発明の請求項１に係る手指の洗浄殺菌方法は、電気分解によって生成されたアルカリ性水と酸性水を用いる、手や指の洗浄及び殺菌方法であって、手や指の洗浄に当たって、先ずアルカリ性水を吐水口から吐水させることにより、手や指に付着している油脂やタンパク質といった汚れの洗浄を可能と成し、次いで、酸性水を、上記吐水口から吐水させて手指を殺菌可能と成し、その後、再び前記アルカリ性水を前記と水口から吐水させることにより、アルカリ性水での洗浄と、酸性水での殺菌、及び、アルカリ性水での酸性水の中和を、設定した時間もしくは、設定量による一連した洗浄サイクルを行なうことを特徴としている。
【０００９】
（２）  また、本発明の請求項２に係る手指の洗浄殺菌システムは、電気分解によって電解水生成装置が生成したアルカリ性水と酸性水を用いる、手や指の洗浄及び殺菌システムであって、上記電解水生成装置によって生成されたアルカリ性水と酸性水を貯水するためのアルカリ性水用と酸性水用の各貯水タンクと、これ等各貯水タンクに収容されているアルカリ性水及び酸性水を，各々手指の洗浄及び殺菌を行なう吐水口に給水するためのアルカリ性水用及び酸性水用の各ポンプ、もしくは、アルカリ性水又は酸性水を、いずれか一方に選択して他方の給水を止めることができる切替ユニットと併設されたアルカリ性水及び酸性水を給水するための共用のポンプと、手指検知センサーからの検知信号を受けると、これ等各ポンプ、もしくは切替ユニット及び併設された共用のポンプの作動を制御して、最初にアルカリ性水タンクのアルカリ性水を設定した時間、又は設定量を吐水口に給水し、次に、酸性水タンクの酸性水を設定した時間、又は設定した水量を吐水口に給水する一連した洗浄サイクルを実行するための制御部と、によって構成すると共に、前記制御部は、前記手指検知センサーからの検知信号を受けると、前記ポンプ及び切替ユニットを制御して、アルカリ性水タンクのアルカリ性水、次に、酸性水タンクの酸性水を吐水口に給水した後、再び、アルカリ性水タンクのアルカリ性水を設定した時間、もしくは設定した水量を吐水口に給水することを特徴としている。
【００１０】
（３）  また、本発明の請求項３に係る手指の洗浄殺菌システムは、前記アルカリ性水用と酸性水用の各貯水タンクに電解水生成装置を併設し、各貯水タンクにはアルカリ性水もしくは酸性水の貯水が満杯と残量少の場合の水量を検知する各水位センサーを設けると共に、前記電解水生成装置は、前記一方の水位センサーの残量少の検知信号に基づいてアルカリ性水及び酸性水を生成して各貯水タンクに供給し、前記双方の水位センサーが満杯を検知すると生成を停止する様に構成されていることを特徴としている。
【００１１】
（４）  更に、本発明の請求項４に係る手指の洗浄殺菌システムは、前記制御部は、前記酸性水を吐水後に、再びアルカリ性水が吐水口から吐水されている最中に、前記手指センサーが再び手指を検知した時には、上記アルカリ性水の給水を直ちに中断して、前記一連した洗浄サイクルを新規に開始するように構成されていることを特徴としている。
【００１２】
上記（１）で述べた請求項１に係る手指の洗浄殺菌方法によれば、手や指の洗浄に当たって、先ずアルカリ性水が吐水されるので、手指に付着した油脂やタンパク質といった汚れを洗浄でき、次いで、酸性水が吐水されるため、アルカリ性水で洗浄した手指を更に酸性水で殺菌できるので、汚れた手指をきれいに、而も、衛生的に洗浄できると共に、洗浄及び殺菌を設定した時間もしくは設定した水量で行なえるので、洗う人によってバラツキがなく洗浄殺菌を十分に行なえる。
【００１３】
また、上記（２）で述べた請求項２に係る手指の洗浄殺菌システムによれば、アルカリ性水用のタンクと、酸性水用のタンクを併設して、各タンク内には所定量の電解水が貯水され、手指検知センサーからの信号を受けた制御部は、アルカリ性水、及び酸性水を吐水口に供給する。従って、タンクにそれぞれのアルカリ性水と酸性水を貯水しておくので電解水生成装置のない所でも洗浄殺菌が可能となる。
【００１４】
更に、上記（１）と（２）で述べた請求項１と２に係る手指の洗浄殺菌方法と洗浄殺菌システムによれば、最初にアルカリ性水、次に酸性水を供給して洗浄サイクルを終え、その後アルカリ性水を供給して中和する。従って、シンクの下側に設置されたトラップが金属製の場合でも、最後にアルカリ性水を流すので、溜まっている酸性水が中和されて腐食することがない。
【００１５】
また、上記（３）で述べた請求項３に係る手指の洗浄殺菌システムによれば、各タンクには電解水生成装置と制御部によって常時一定量のアルカリ性水と酸性水が貯水されているため、各電解水が不足することなく、すべての利用者に対して同様に安定した洗浄と殺菌が可能になる。
【００１６】
また、上記（４）で述べた請求項４に係る手指の洗浄殺菌システムによれば、アルカリ性水による洗浄、酸性水による殺菌洗浄が終了し、再度アルカリ性水による吐水時間内に、再び手指検知センサーが人の手を検知したら、有る解性水の吐水を中断して新規の洗浄サイクルを始める。従って、洗浄直後に手指検知センサーが人の手を検知したら、すぐに新規の洗浄サイクルを始められ次の火とが待たなくて済む。また、中和作用は次のサイクルの最後にアルカリ性水を吐水するので同様の効果が得られる。
【発明の効果】
【００１７】
以上述べた次第で、本発明に係る手指の洗浄殺菌方法と手指の洗浄殺菌システムによれば、電気分解によって生成されたアルカリ性水と酸性水を用いて、手や指の洗浄及び殺菌を設定した時間、もしくは設定量で行なえ、洗う人によってバラツキがなく、同時に生成された反対性状の電解水と合流させ中和でき、タンクに入れた電解水を使用する場合は、酸性水で洗浄殺菌した後は必ずアルカリ性水を吐水して中和するため、酸性水による排水管のトラップ部分の腐食を防止できる利点を発揮できるものであって、各種の職場や学校等で使用して、まことに好適なものである。
【発明を実施するための最良の形態】
【００１８】
以下に、上述した本発明に係る手指の洗浄殺菌方法と手指の洗浄殺菌システムの実施の形態を図面と共に説明すると、図１は作業の前後、又は、食前に手や指を洗浄するためのものであって、図１（１）は洗浄用としてアルカリ性水を吐水し、酸性水を排水している状態を示し、図１（２）は殺菌用として酸性水を吐水し、アルカリ性水を排水している状態を示しており、また、これ等の図面は請求項１の概念図を示すものである。
【００１９】
図１の（１）と（２）において、符号１で全体的に示したのは、水道水若しくは純水に電解質を添加した被電解水を電気分解することによって、陽極側に殺菌効果を備えた酸性水を生成し、陰極側には洗浄効果を備えたアルカリ性水を生成できるように構成した電解水生成装置で、１Ａはそのケース体、２は制御部を示す。
【００２０】
１０Ａは先端の吐水口１２に向けて電解水生成装置１が生成した酸性水又はアルカリ性水を給水する吐水用水路（パイプ）、１０Ｂは上記電解水生成装置１が生成したアルカリ性水又は酸性水を排水する排水用水路（パイプ）であって、上記吐水用水路１０Ａの中間部には冷えた洗浄水を加温するためのチューブヒータ１３（ホースヒータとも言う）と、図６に示した構造の操作部１１が設けられていて、上述した吐水口１２はこの操作部１１の前面に設けた可撓性吐水ホース１２Ｈの先端部（下端部）に設けられている。尚、チューブヒータ１３にはＯＮ／ＯＦＦスイッチが設けられていて、夏季にはＯＦＦにしても良い。
【００２１】
操作部１１の拡大図を示した図６において、１１Ａは吐水口１２から洗浄用のアルカリ性水を吐水する時に点灯するアルカリ性水吐水モード表示ランプ、１１Ｂはアルカリ性水を吐水した後に酸性水を吐水する手洗いモードの時に点灯する手洗いモード表示ランプ、１１Ｃは酸性水を吐水する時に点灯する酸性水吐水モード表示ランプ、１１Ｅは上記各吐水モードを切り替えるためのモード切替スイッチ、１１Ｆは人の手を検知する手指検知センサーであって、手を洗おうとする人がこのセンサー１１Ｆに手や指をかざして検知されると、前記電解水生成装置１の制御部２に対して洗浄の開始を指示するように構成されていて、制御部２は洗浄開始の指示を受けると、上記モード切替スイッチ１１Ｅによって選択されたモードに従って、アルカリ性水又は酸性水を制御部２に設けたタイマー（図示省略）によって予め設定されている所定時間もしくは設定量だけ吐水する仕組みに成っている。
【００２２】
更に図１の（１）と（２）において、２０はシンク、２１は排水管、２１Ｔは排水管２１の途中に設けたトラップで、本発明では酸性水吐水モードで吐水された酸性水が上記トラップ２１Ｔに溜まっても、その後、必ずアルカリ性水吐水モードに切り替わってアルカリ性水が吐水されるため、トラップ２１Ｔに溜まった酸性水を中和して、排水管２１の腐食を防止することができる。
【００２３】
図２は、アルカリ性水と酸性水を切り替えて給水するための装置の実施例を示したものであって、前記請求項２の概念図を示したものである。尚、図２において図１と同一の部材は同一の符号を付して、その説明を省略する。
【００２４】
図２において、３は電解槽で、この電解槽３の内部は隔膜３Ｔによって陽極３Ｘが設けられた陽極室３Ａと、陰極３Ｙが設けられた陰極室３Ｂとに仕切られていて、電気分解によって陽極室３Ａで殺菌作用を備えた酸性水が生成され、陰極室３Ｂで洗浄作用を備えたアルカリ性水が生成される仕組みに成っている。４は水道水若しくは純水に電解質を添加した被電解水を、上記陽極室３Ａ及び陰極室３Ｂに給水する給水管（パイプ）、４Ｒはこの給水管４の途中に設けた入水量調整用の入水電磁弁を示す。
【００２５】
また、３ＡＴと３ＢＴは上記陽極室３Ａと陰極室３Ｂの底面に設けた酸性水採水口及びアルカリ性水採水口で、前記吐水用水路１０Ａと排水用水路１０Ｂの上端がこれ等各採水口３ＡＴ、３ＢＴに連通接続されている。１４Ａと１４Ｂは上記吐水用水路１０Ａと排水用水路１０Ｂの途中部分に取り付けた採水用電磁弁としての第１の三方弁と第２の三方弁であって、各三方弁１４Ａ、１４Ｂは、開放されている出口側の一方の口を、第１と第２のバイパス水路１５Ａ，１５Ｂを用いて相対向して並設されている排水用水路１０Ｂ、及び、吐水用水路１０Ａの各中間部に連通接続して、これ等三方弁１４Ａ、１４Ｂの切り替えによって、酸性水とアルカリ性水を吐水用水路１０Ａの吐水口１２と、排水用水路１０Ｂの排水口に対して相互に切り替えて給水できる仕組みに成っている。
【００２６】
また、符号２で示した制御部は、プログラムに従って手指検知センサー１１Ｆが人の手指を検知すると、上記三方弁１４Ａ、１４Ｂを切り替え操作して、先ず吐水口１２よりアルカリ性水を前記タイマーによる設定時間もしくは設定量吐水させて手指を洗浄させ、次いで、酸性水を同じく設定時間もしくは設定量だけ吐水口１２より吐水させて洗浄して手指の殺菌を行なう。この間、排水用水路１０Ｂを上記吐水口１２より吐水される電解水とは反対性状の電解水がシンク２０に向けて排水されるため、酸性水とアルカリ性水が自然に（自動的に）中和される。
【００２７】
更に上記の制御部２は、前記陽極３Ａと陰極３Ｂ、並びに、入水電磁弁４Ｒと操作部１１とチューブヒータ１３にも接続されていて、電解水生成装置１の動作を正常にコントロールすることができる。
【００２８】
図３は、同じくアルカリ性水と酸性水を切り替えて供給する装置の第２実施例、即ち、前記請求項３に記載の構成を説明した概念図であって、この実施例では、符号３Ａ，３Ｂで示した各陽極室と陰極室が夫々第１電解室と第２電解室となり、符号３Ｘと３Ｙで示した陽極と陰極が夫々第１電極と第２電極になるが、他の構成部材で、前記図１及び図２で示した部材と同じ部材は、同一の符号を付してその説明を省略する。
【００２９】
即ち、この第２実施例では、一方の第１電解室３Ａの採水口３ＡＴと吐水口１２を水路１０Ａで接続し、電源の極性の切り替え、具体的には最初にアルカリ性水を供給するので、上記第１電解室３Ａの第１電極３Ｘに負電圧を、次に酸性水を供給するので陽電圧を印加する。他方の第２電解室３Ｂの採水口３ＢＴからは、直接シンク（図示省略）に排水されるように水路１０Ｂを接続するので、同時に生成される反対性状の電解水も手洗いと同じシンクに排水され、アルカリ性水と酸性水が自動的に中和される。
【００３０】
而して図３において、符号２Ａ，２Ｂで示したのは、前記制御部２によって自動的に切り替え作動される切り替えスイッチで、図示の場合は第１電極３Ｘが陽極、第２電極３Ｙが陰極に成るため、第１電解室３Ａでは酸性水が生成され、第２電解室３Ｂではアルカリ性水が生成されるため、吐水口１２からは酸性水が吐水されることになり、排水口１０Ｂからはアルカリ性水が排水される。
【００３１】
従って、この切り替えスイッチ２Ａ，２Ｂを制御部２が適宜繰り返すことにより、アルカリ性水と酸性水が中和され、トラップ２１Ｔの腐食を防止することができる。
【００３２】
図４は、同じくアルカリ性水と酸性水を切り替えて供給する装置の第３実施例、即ち、前記請求項２に記載の構成を説明した概念図であって、この実施例では図示の如く、電解水生成装置１に対して酸性水用のタンク３０と、アルカリ性水用のタンク４０が併設されていて、常時各タンク３０と４０内には送水パイプ３０Ａ，４０Ａを通して各々所定量の電解水が貯水される様に、満杯と残量少の場合の水量を検知する水位センサー３１，３２及び４１，４２と、水量が少なくなったら電解水生成装置１に生成を開始して送水する様に指示を出す制御部２を有している。
【００３３】
即ち、操作部１１の手指検知センサー１１Ｆが人の手を検知して、検知信号を制御部２に送信すると、先ず図４（１）の如くアルカリ性水、次に図４（２）の如く酸性水をそれぞれタンク４０及び３０から給水パイプ３５，４５、切替ユニット５０並びに吐水管５１を通して吐水口１２から吐水し、その後再び自動的にアルカリ性水を吐水する。最後のアルカリ性水の吐水によりシンク２０の下流に配置され、悪臭の逆流を防ぐためのトラップ２１Ｔの部分に酸性水が溜まらない様に中和を行なう。
【００３４】
尚、上記図４（１）はアルカリ性水を吐水する説明図であり、図４（２）は酸性水を吐水する説明図である。また、オーバーフロー装置３３は、一方の電解水のみを使用し残量が少なくなり補充する場合に、他方（満杯）の電解水も同時に生成されるため、オーバー分を廃棄するためのものである。また、オーバーフロー水は直接排水溝に排水させシンクからの排水と合流させ一時貯溜させると中和が可能となる。
【００３５】
図５は、上記本発明の第４実施例、即ち、上記請求項２に記載の構成の他の実施例を示したものであって、この実施例では、別途電解水生成装置１で生成した各電解水を容器等に入れて運び、各タンク４０Ｋと３０Ｋにアルカリ性水と酸性水を貯水するものであり、切替ユニット５０とポンプ３４，４４から成る送水装置と制御部２とを取り付け、操作部１１の手指検知センサー１１Ｆが人の手指を検出したら、信号を制御部２に送信し、図５（１）の如くアルカリ性水、次に図５（２）酸性水を供給し、その後再び自動的に図５（１）の如くアルカリ性水を供給する。この実施例の長所は、電解水生成装置が１台あれば何箇所にも手指洗浄装置を設置できる点である。
【００３６】
尚、図６に示した操作部１１と吐水口１２の拡大図において、選択したモードに該当する手洗いの使用回数を表示する表示器１１Ｄは、例えば朝１番に前日のデータをクリアしておけば当日の手洗い回数が把握できるものである。また、クリアスイッチとチューブヒータ１３のＯＮ・ＯＦＦスイッチは誤って操作しないようにケースの内部に設置してある。
【００３７】
図７に示したステップＳ１〜Ｓ８は、請求項１及び２に記載の手洗いモードを説明したフロー図であり、操作部１１の手指検知センサー１１Ｆが人の手指を検知したら、アルカリ性水の吐水を前記タイマーによって設定された時間（通常１５秒）行ない、次に酸性水の吐水を同じくタイマーによって設定された時間（通常１５秒）行なう。洗浄が終了した時点及び中和用アルカリ性水の吐水（通常６秒）の終了までの間に、再度手指検知センサー１１Ｆが人の手指を検知したら、アルカリ性水の吐水を行なわないで新規の洗浄サイクルを繰り返すものである。
【００３８】
ここで、手指検知センサー１１Ｆは吐水口１２の上側に設けられていて、近くに手を近づけると感知するタイプであり、シンク２０の中に同じ人の手を何度入れても再度検知することはない。尚、請求項１及び２以外のフロー図は上記の説明で理解できるものであり、これを省略する。
【図面の簡単な説明】
【００３９】
【図１】本発明に係る手指の洗浄殺菌システムの実施例を説明した構成図。
【図２】本発明に係る手指の洗浄殺菌システムの他の実施例を説明した構成図。
【図３】本発明に係る手指の洗浄殺菌システムの他の実施例を説明した構成図。
【図４】本発明に係る手指の洗浄殺菌システムの他の実施例を説明した構成図。
【図５】本発明に係る手指の洗浄殺菌システムの他の実施例を説明した構成図。
【図６】本発明で使用する操作部と吐水口の構成を拡大して示した斜視図。
【図７】本発明に係る手指の洗浄殺菌システムにおける手洗モードのフロー図。
【符号の説明】
【００４０】
１            電解水生成装置
２            制御部
２Ａ，３Ｂ    切り替えスイッチ
３            電解槽
３Ａ          陽極室（第１電解室）
３Ｂ          陰極室（第２電解室）
３Ｔ          隔膜
３Ｘ          陽極（第１電極）
３Ｙ          陰極（第２電極）
３ＡＴ        酸性水採水口
３ＢＴ        アルカリ性水採水口
４            給水パイプ
４Ｒ          入水電磁弁
１０Ａ        吐水用水路
１０Ｂ        排水用水路
１１          操作部
１１Ｄ        使用回数表示器
１１Ｅ        モード切替スイッチ
１１Ｆ        手指検知センサー
１２          吐水口
１３          チューブヒータ
１４Ａ，１４Ｂ        三方弁
１５Ａ，１５Ｂ        バイパス水路
２０          シンク
２１          排水管
２１Ｔ        トラップ
【図１】
0004943351.tif 000002
【図２】
0004943351.tif 000003
【図３】
0004943351.tif 000004
【図４】
0004943351.tif 000005
【図５】
0004943351.tif 000006
【図６】
0004943351.tif 000007
【図７】
0004943351.tif 000008